(57)【要約】【課題】就寝時刻や起床時刻が日々変化する状況において、睡眠時の概日リズムを考慮した睡眠に適した空調を、簡易な手順で設定可能な手段を提供する。【解決手段】ネットワークを介して空調機を制御しディスプレイを有する情報端末装置の制御方法であって、前記情報端末装置に対して、前記空調機の温度を複数の時間帯毎に設定可能な温度設定画面を表示させ、前記境界時刻における第１設定温度と前記就寝時刻における第２設定温度とを用いて前記第１時間帯における第１時間帯設定温度を計算させ、前記第１設定温度と前記起床時刻における第３設定温度とを用いて前記第２時間帯設定温度を計算させ、前記第１時間帯設定温度及び前記第２時間帯設定温度を前記温度設定画面に表示させ、前記第１時間帯設定温度及び前記第２時間帯設定温度が確定されると、前記第１設定温度及び前記第２設定温度に対応する制御コマンドを前記ネットワークに出力させる。【選択図】図８Ａ
2015108500.tif 000002
【特許請求の範囲】
【請求項１】
ネットワークを介して空調機を制御しディスプレイを有する情報端末装置において実行されるプログラムであって、
前記情報端末装置のコンピュータに対して、
前記空調機の温度を複数の時間帯毎に設定可能な温度設定画面を、前記ディスプレイに表示させ、前記温度設定画面は、前記空調機を使用する使用者の就寝時刻から前記就寝時刻と前記使用者の起床時刻との間の第１時刻までの第１時間帯における前記空調機の温度を設定するための第１温度設定領域と、前記第１時刻から前記起床時刻までの第２時間帯における前記空調機の温度を設定するための第２温度設定領域とを含み、
前記温度設定画面で設定された前記第１時刻における前記空調機の温度である第１設定温度と前記温度設定画面で設定された前記就寝時刻における前記空調機の温度である第２設定温度とを用いて前記第１時間帯において推移する前記空調機の第１時間帯設定温度を計算させ、
前記第１設定温度と前記温度設定画面で設定された前記起床時刻における前記空調機の温度である第３設定温度とを用いて前記第２時間帯において推移する前記空調機の第２時間帯設定温度を計算させ、
前記計算された第１時間帯設定温度を前記第１温度設定領域において表示させ、
前記計算された第２時間帯設定温度を前記第２温度設定領域において表示させ、
前記計算された第１時間帯設定温度が前記第１時間帯設定温度として確定され、前記計算された第２時間帯設定温度が前記第２時間帯設定温度として確定されると、前記第１設定温度に対応する第１制御コマンド及び前記第２設定温度に対応する第２制御コマンドを前記ネットワークに出力させる、
プログラム。
【請求項２】
前記計算された第１時間帯設定温度は、前記第２設定温度に対応する点と前記第１設定温度に対応する点とを結んだ第１の線で表示され、
前記計算された第２時間帯設定温度は、前記第３設定温度に対応する点と前記第１設定温度に対応する点とを結んだ第２の線で表示される、
請求項１に記載のプログラム。
【請求項３】
前記ディスプレイはタッチパネル式ディスプレイであり、
前記第１の線は前記第１の線に接触した使用者の操作によって曲線に変更可能であり、
前記第２の線は前記第２の線に接触した前記使用者の操作によって曲線に変更可能である、
請求項２に記載のプログラム。
【請求項４】
前記第１の線は直線であり、前記第２の線は直線である、
請求項２に記載のプログラム。
【請求項５】
前記計算された第１時間帯設定温度は、縦軸を前記空調機の設定温度とし、横軸を時間としたグラフで表示され、
前記計算された第２時間帯設定温度は、縦軸を前記空調機の設定温度とし、横軸を時間としたグラフで表示される、
請求項１に記載のプログラム。
【請求項６】
前記第１制御コマンド及び前記第２制御コマンドは、所定のタイミングで前記ネットワークに出力される、
請求項１に記載のプログラム。
【請求項７】
前記第１時刻は、午前３時３０分から午前４時３０分までの間の時刻である、
請求項１に記載のプログラム。
【請求項８】
前記使用者が外出する時刻である外出時刻を設定させるための時刻設定画面を、前記温度設定画面とは別に前記ディスプレイに表示させる処理を実行させ、
前記第１時刻は、前記時刻設定画面にて設定された前記外出時刻から第１所定時間を差し引いた時刻である、
請求項１に記載のプログラム。
【請求項９】
前記第１所定時間は、２時間から３時間までの範囲の時間である、
請求項８に記載のプログラム。
【請求項１０】
前記情報端末装置は、前記情報端末装置の位置を示す位置情報を管理するシステムに接続され、前記起床時刻以降最初に前記情報端末装置が、前記情報端末装置の使用者の家から所定距離離れたことを示す情報を前記システムから入力する処理と、前記情報を入力した時刻から第２所定時間を差し引いた時刻を前記第１時刻として設定する処理と、を実行させる、
請求項１に記載のプログラム。
【請求項１１】
前記第２所定時間は、２時間から３時間までの範囲の時間である、
請求項１０に記載のプログラム。
【請求項１２】
前記情報端末装置は、温度計を有し、
前記温度計が測定した前記使用者の体温が最低となった時刻を、前記第１時刻として設定する処理を実行させる、
請求項１に記載のプログラム。
【請求項１３】
前記就寝時刻は、前記計算された第１時間帯設定温度が前記第１時間帯設定温度として確定され、前記計算された第２時間帯設定温度が前記第２時間帯設定温度として確定された時刻である、
請求項１に記載のプログラム。
【請求項１４】
前記情報端末装置は、照度センサを有し、
前記使用者が睡眠する空間の消灯を前記照度センサが検知した時刻を前記就寝時刻として設定する処理を実行させる、
請求項１に記載のプログラム。
【請求項１５】
前記情報端末装置は、アラームを有し、
前記使用者が設定したアラームが起動する時刻を、前記起床時刻として設定する処理を実行する、
請求項１に記載のプログラム。
【請求項１６】
請求項１から請求項１５のいずれか一に記載のプログラムを搭載した情報端末装置。
【請求項１７】
ネットワークを介して空調機を制御しディスプレイを有する情報端末装置の制御方法であって、
前記情報端末装置に対して、
前記空調機の温度を複数の時間帯毎に設定可能な温度設定画面を、前記ディスプレイに表示させ、前記温度設定画面は、前記空調機を使用する使用者の就寝時刻から前記就寝時刻と前記使用者の起床時刻との間の第１時刻までの第１時間帯における前記空調機の温度を設定するための第１温度設定領域と、前記第１時刻から前記起床時刻までの第２時間帯における前記空調機の温度を設定するための第２温度設定領域とを含み、
前記温度設定画面で設定された前記第１時刻における前記空調機の温度である第１設定温度と前記温度設定画面で設定された前記就寝時刻における前記空調機の温度である第２設定温度とを用いて前記第１時間帯において推移する前記空調機の第１時間帯設定温度を計算させ、
前記第１設定温度と前記温度設定画面で設定された前記起床時刻における前記空調機の温度である第３設定温度とを用いて前記第２時間帯において推移する前記空調機の第２時間帯設定温度を計算させ、
前記計算された第１時間帯設定温度を前記第１温度設定領域において表示させ、
前記計算された第２時間帯設定温度を前記第２温度設定領域において表示させ、
前記計算された第１時間帯設定温度が前記第１時間帯設定温度として確定され、前記計算された第２時間帯設定温度が前記第２時間帯設定温度として確定されると、前記第１設定温度に対応する第１制御コマンド及び前記第２設定温度に対応する第２制御コマンドを前記ネットワークに出力させる、
制御方法。
【発明の詳細な説明】
【技術分野】
【０００１】
本開示は、ネットワークを介して空調機を制御する情報端末装置の制御方法及びプログラムに関する。
【背景技術】
【０００２】
従来、空調機は、昼間に室内の温度を調節するのみならず、夜間に快適な睡眠環境を提供する目的にも使用されている。
【０００３】
例えば、特許文献１における空調システムでは、情報端末を用いて複数の時間帯別に空調機の温度設定を行うことが提案されている。
【先行技術文献】
【特許文献】
【０００４】
【特許文献１】特開２００１−３４３４７７号公報
【発明の概要】
【発明が解決しようとする課題】
【０００５】
しかしながら、上記特許文献１では更なる改善が必要であった。
【課題を解決するための手段】
【０００６】
上記従来の課題を解決するために、本開示の情報端末の制御方法は、ネットワークを介して空調機を制御しディスプレイを有する情報端末装置の制御方法であって、前記情報端末装置に対して、前記空調機の温度を複数の時間帯毎に設定可能な温度設定画面を、前記ディスプレイに表示させ、前記温度設定画面は、前記空調機を使用する使用者の就寝時刻から前記就寝時刻と前記使用者の起床時刻との間の第１時刻までの第１時間帯における前記空調機の温度を設定するための第１温度設定領域と、前記第１時刻から前記起床時刻までの第２時間帯における前記空調機の温度を設定するための第２温度設定領域とを含み、前記温度設定画面で設定された前記第１時刻における前記空調機の温度である第１設定温度と前記温度設定画面で設定された前記就寝時刻における前記空調機の温度である第２設定温度とを用いて前記第１時間帯において推移する前記空調機の第１時間帯設定温度を計算させ、前記第１設定温度と前記温度設定画面で設定された前記起床時刻における前記空調機の温度である第３設定温度とを用いて前記第２時間帯において推移する前記空調機の第２時間帯設定温度を計算させ、前記計算された前記第１時間帯設定温度を前記第１温度設定領域において表示させ、前記計算された前記第２時間帯設定温度を前記第２温度設定領域において表示させ、前記第１時間帯設定温度及び前記第２時間帯設定温度が確定されると、前記第１設定温度及び前記第２設定温度に対応する制御コマンドを前記ネットワークに出力させる。
【発明の効果】
【０００７】
本開示にかかる態様によれば、更なる改善を実現できた。
【図面の簡単な説明】
【０００８】
【図１】図１は、従来の情報端末の構成を示す図である。
【図２】図２は、実施の形態１における情報端末のユーザインターフェースの構成を示す図である。
【図３】図３は、実施の形態１における情報端末の基本指操作を説明する図である。
【図４】図４は、実施の形態１における情報端末の構成を示す図である。
【図５】図５は、実施の形態１における空調システムの全体構成を示す図である。
【図６】図６は、実施の形態１における情報端末の処理のフローを示す図である。
【図７】図７は、実施の形態１における領域別設定温度の設定操作の例を示す図である。
【図８Ａ】図８Ａは、実施の形態１における領域別設定温度の設定操作の例を示す図である。
【図８Ｂ】図８Ｂは、実施の形態１における領域別設定温度の設定操作の例を示す図である。
【図８Ｃ】図８Ｃは、実施の形態１における領域別設定温度の設定操作の例を示す図である。
【図８Ｄ】図８Ｄは、実施の形態１における領域別設定温度の設定操作の例を示す図である。
【図９】図９は、実施の形態１における睡眠時刻情報の設定操作を示す図である。
【図１０Ａ】図１０Ａは、実施の形態１における睡眠時刻情報の設定操作の例を示す図である。
【図１０Ｂ】図１０Ｂは、実施の形態１における睡眠時刻情報の設定操作の例を示す図である。
【図１０Ｃ】図１０Ｃは、実施の形態１における睡眠時刻情報の設定操作の例を示す図である。
【図１１Ａ】図１１Ａは、実施の形態１における睡眠時刻情報の設定操作の例を示す図である。
【図１１Ｂ】図１１Ｂは、実施の形態１における睡眠時刻情報の設定操作の例を示す図である。
【図１１Ｃ】図１１Ｃは、実施の形態１における睡眠時刻情報の設定操作の例を示す図である。
【図１１Ｄ】図１１Ｄは、実施の形態１における睡眠時刻情報の設定操作の例を示す図である。
【図１２】図１２は、実施の形態１における空調制御情報の設定操作の例を示す図である。
【図１３】図１３は、実施の形態１における空調制御情報の設定操作の例を示す図である。
【図１４】図１４は、実施の形態１におけるアラーム表示画面の例を示す図である。
【図１５】図１５は、実施の形態１における領域別設定温度情報の構成を示す図である。
【図１６】図１６は、実施の形態１における睡眠時刻情報の構成を示す図である。
【図１７Ａ】図１７Ａは、実施の形態１における空調制御情報決定部の処理のフローを示す図である。
【図１７Ｂ】図１７Ｂは、実施の形態１における空調制御情報決定部の処理のフローを示す図である。
【図１８】図１８は、実施の形態１における空調制御情報の構成を示す図である。
【図１９】図１９は、実施の形態２における空調システムの全体構成を示す図である。
【図２０】図２０は、本発明の実施の形態２における情報端末の構成を示す図である。
【図２１Ａ】図２１Ａは、実施の形態３における領域別設定温度の設定操作の例を示す図である。
【図２１Ｂ】図２１Ｂは、実施の形態３における領域別設定温度の設定操作の例を示す図である。
【図２１Ｃ】図２１Ｃは、実施の形態３における領域別設定温度の設定操作の例を示す図である。
【図２２】図２２は、実施の形態４における情報端末の処理のフローを示す図である。
【図２３】図２３は、実施の形態５における就寝時刻予約画面の一例を示す図である。
【図２４】図２４は、実施の形態６における外出時刻設定画面の一例を示す図である。
【図２５Ａ】図２５Ａは、実施の形態９における領域別設定温度の設定操作の例を示す図である。
【図２５Ｂ】図２５Ｂは、実施の形態９における領域別設定温度の設定操作の例を示す図である。
【図２５Ｃ】図２５Ｃは、実施の形態９における領域別設定温度の設定操作の例を示す図である。
【図２５Ｄ】図２５Ｄは、実施の形態９における領域別設定温度の設定操作の例を示す図である。
【図２６Ａ】図２６Ａは、実施の形態１０における領域別設定温度の設定操作の例を示す図である。
【図２６Ｂ】図２６Ｂは、実施の形態１０における領域別設定温度の設定操作の例を示す図である。
【図２６Ｃ】図２６Ｃは、実施の形態１０における領域別設定温度の設定操作の例を示す図である。
【図２６Ｄ】図２６Ｄは、実施の形態１０における領域別設定温度の設定操作の例を示す図である。
【図２７Ａ】図２７Ａは、実施の形態１０における領域別設定温度情報の例を示す図である。
【図２７Ｂ】図２７Ｂは、実施の形態１０における空調制御情報の例を示す図である。
【図２８Ａ】図２８Ａは、実施の形態１における領域別設定温度の設定操作の別の例を示す図である。
【図２８Ｂ】図２８Ｂは、実施の形態１における領域別設定温度の設定操作の別の例を示す図である。
【図２８Ｃ】図２８Ｃは、実施の形態１における領域別設定温度の設定操作の別の例を示す図である。
【図２８Ｄ】図２８Ｄは、実施の形態１における領域別設定温度の設定操作の別の例を示す図である。
【発明を実施するための形態】
【０００９】
（本発明の基礎となった知見）
昼間、使用者が空調機の温度を調整することで、快適な室内環境が実現されていた。
【００１０】
一方夜間は、使用者は睡眠しているため空調機の温度を調整することができない。そのため、空調機自体が自動で温度調整することが要求される。特に、夏場の夜間は温度が高く、寝苦しい夜が多いため、空調システムによる快適な室内環境の提供が望まれていた。
【００１１】
上記特許文献１には、使用者が夜間における空調機の温度を時間帯毎に予め設定しておくことで、使用者の睡眠中であっても空調が自動的に温度調整を行う技術が記載されている。
【００１２】
本発明者は、上記特許文献１に記載の技術では、以下の問題が生じることを見出した。
【００１３】
図１のように特許文献１記載の空調システムにおける情報端末４１は、第１時間帯目盛４５と、第１温度目盛４６を有する。使用者は、目盛上の第１ツマミ部材４４を上下に動かすことで、各時間帯の空調の温度設定を行うことができる。
【００１４】
しかしながら、図１の情報端末４１においては、空調を開始する時刻から１時間おきにしか空調機の温度設定を行うことができない。そのため、日々変動する使用者の就寝時刻（空調を開始する時刻）と、起床時刻（空調を終了する時刻）に応じて空調機の温度設定を行うことが煩雑であるという課題があった。
【００１５】
また、人間の生理特性である概日リズムによると、睡眠中の人間の体温は、午前４時前後に向けて徐々に低下しその後上昇するパターンを持つ。従って、この概日リズムに沿った空調機の温度設定がなされることが望ましい。
【００１６】
しかしながら、図１の情報端末４１においては、時刻毎の空調機の温度設定ができないため、使用者が概日リズムに沿った温度設定をするには手間がかかるという課題もあった。
【００１７】
そこで、本発明者は、以下の改善策を検討した。
【００１８】
本開示の態様は、ネットワークを介して空調機を制御しディスプレイを有する情報端末装置の制御方法であって、前記情報端末装置に対して、前記空調機の温度を複数の時間帯毎に設定可能な温度設定画面を、前記ディスプレイに表示させ、前記温度設定画面は、前記空調機を使用する使用者の就寝時刻から前記就寝時刻と前記使用者の起床時刻との間の第１時刻までの第１時間帯における前記空調機の温度を設定するための第１温度設定領域と、前記第１時刻から前記起床時刻までの第２時間帯における前記空調機の温度を設定するための第２温度設定領域とを含み、前記温度設定画面で設定された前記第１時刻における前記空調機の温度である第１設定温度と前記温度設定画面で設定された前記就寝時刻における前記空調機の温度である第２設定温度とを用いて前記第１時間帯において推移する前記空調機の第１時間帯設定温度を計算させ、前記第１設定温度と前記温度設定画面で設定された前記起床時刻における前記空調機の温度である第３設定温度とを用いて前記第２時間帯において推移する前記空調機の第２時間帯設定温度を計算させ、前記計算された前記第１時間帯設定温度を前記第１温度設定領域において表示させ、前記計算された前記第２時間帯設定温度を前記第２温度設定領域において表示させ、前記第１時間帯設定温度及び前記第２時間帯設定温度が確定されると、前記第１設定温度及び前記第２設定温度に対応する制御コマンドを前記ネットワークに出力させる。
【００１９】
上記態様において、前記計算された前記第１時間帯設定温度は、前記第２設定温度に対応する点と前記第１設定温度に対応する点とを結んだ第１の線で表示され、前記計算された前記第２時間帯設定温度は、前記第３設定温度に対応する点と前記第２設定温度に対応する点とを結んだ第２の線で表示されてもよい。
【００２０】
上記態様において、前記ディスプレイはタッチパネル式ディスプレイであり、前記第１の線は前記第１の線に接触した使用者の操作によって曲線に変更可能であり、前記第２の線は前記第２の線に接触した使用者の操作によって曲線に変更可能であってもよい。
【００２１】
上記態様において、前記第１の線は直線であり、前記第２の線は直線であってもよい。
【００２２】
上記態様において、前記計算された前記第１時間帯設定温度は、縦軸を前記空調機の設定温度とし、横軸を時間としたグラフで表示され、前記計算された前記第２時間帯設定温度は、縦軸を前記空調機の設定温度とし、横軸を時間としたグラフで表示されてもよい。
【００２３】
上記態様において、前記制御コマンドは、所定のタイミングで前記ネットワークに出力されてもよい。
【００２４】
上記態様において、前記第１時刻は、午前３時３０分から午前４時３０分までの間の時刻であってもよい。
【００２５】
上記態様において、前記使用者が外出する時刻である外出時刻を設定させるための時刻設定画面を、前記温度設定画面とは別に前記ディスプレイに表示させ、前記第１時刻は、前記時刻設定画面にて設定された前記外出時刻から第１所定時間を差し引いた時刻であってもよい。
【００２６】
上記態様において、前記第１所定時間は、２時間から３時間までの範囲の時間であってもよい。
【００２７】
上記態様において、前記情報端末装置は、前記情報端末装置の位置を示す位置情報を管理するシステムに接続され、前記起床時刻以降最初に前記情報端末装置が、前記情報端末装置の使用者の家から所定距離離れたことを示す情報を前記システムから入力し、前記情報を入力した時刻から第２所定時間を差し引いた時刻を前記第１時刻として設定してもよい。
【００２８】
上記態様において、前記第２所定時間は、２時間から３時間までの範囲の時間であってもよい。
【００２９】
上記態様において、前記情報端末装置は、温度計を有し、前記温度計が測定した前記使用者の体温が最低となった時刻を、前記第１時刻として設定してもよい。
【００３０】
上記態様において、前記就寝時刻は、前記第１時間帯設定温度及び前記第２時間帯設定温度が確定された時刻であってもよい。
【００３１】
上記態様において、前記情報端末装置は、照度センサを有し、前記使用者が睡眠する空間の消灯を前記照度センサが検知した時刻を前記就寝時刻として設定してもよい。
【００３２】
上記態様において、前記情報端末装置は、アラームを有し、前記使用者が設定したアラームが起動する時刻を、前記起床時刻として設定してもよい。
【００３３】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。以下、本開示の実施の形態について、図面を参照しながら説明する。
【００３４】
なお、以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００３５】
（実施の形態１）
図２は、実施の形態１における情報端末１０の構成を示す。
【００３６】
情報端末１０は、タッチパネル部１１、データ通信部１３、時刻を取得するためのタイマー１５、コンピュータ４０を有している。
【００３７】
なお、情報端末１０は、このほかにも、使用者の入力を受け付けるホームボタン１６、周囲の画像を撮影するためのカメラ１７、音声を発するスピーカ１８、周囲の音声を取得するマイク１９、周囲の明るさを取得する照度センサ２０、情報端末１０の位置情報を取得するＧＰＳセンサ（不図示）を有していてもよい。
【００３８】
タッチパネル部１１は、画像や動画を表示するディスプレイ１１８（不図示）と、使用者からの操作を受け付ける操作入力部１１９（不図示）を有する。
【００３９】
操作入力部１１９は静電容量方式のタッチセンサによって実現される。静電容量方式は、人体がパネルに触れることによって生じる静電容量の変化を感知することで、使用者の操作を感知する方法である。
【００４０】
なお、操作入力部１１９は、使用者からの操作を受け付けることができるものであれば、ほかのものを用いて実現されても構わない。例えば、電磁誘導方式、赤外線方式、表面弾性波方式、抵抗膜方式、マトリックススイッチ方式がある。
【００４１】
また、ディスプレイ１１８は例えば液晶ディスプレイを用いて実現される。
【００４２】
なお、ディスプレイ１１８は、画像や動画を表示できるものであれば、ほかのものを用いて実現されても構わない。例えば、発光ダイオードディスプレイ、有機ＥＬ（Ｅｌｅｃｔｒｏｌｕｍｉｎｅｓｃｅｎｃｅ）ディスプレイ、プラズマディスプレイ、陰極線管ディスプレイがある。
【００４３】
情報端末１０を構成するものは、例えば、スマートフォン、携帯電話、タブレット型端末、パーソナルコンピュータ、テレビなどである。
【００４４】
なお、情報端末１０を構成するものは、コンピュータ４０を備え、ディスプレイと操作入力部１１９を備えるものであれば何でもよい。
【００４５】
また、情報端末１０に備えられたタッチパネル部１１は、ディスプレイ１１８と操作入力部１１９を一体的に包含していたが、ディスプレイ１１８とタッチパネル部１１が分離されていてもかまわない。
【００４６】
図２に示すタッチパネル部１１が有するディスプレイ１１８には、初期表示として、通信状態、現在の時刻などを表示するステータスバー１１１、現在の設定メニューなどを示すナビゲーションバー１１２、主表示部１１３が表示される。
【００４７】
図３は、情報端末の基本指操作を示す。
【００４８】
図３を用いて、情報端末１０のタッチパネル部１１の指操作について説明する。
【００４９】
指操作として、指で触れるタッチ操作、指で画面をはじくフリック操作、指で画面をトンとたたくタップ操作、指でタッチした後に指をずらして動かすドラッグ操作、１本指で画面をなぞるスライド操作、２本指を画面に触れて大きく広げて触った状態から指の間隔を狭めていくピンチイン操作、２本指を画面に触れて狭めた触った状態から指の間隔を広げていくピンチアウト操作がある。
【００５０】
これらの操作のいずれかが行われると、タッチパネル部１１を有する情報端末１０が操作内容を認識することで、後述する空調システムが制御される。以下の説明では、図３に示す操作名称を用いて説明する。
【００５１】
図４は情報端末１０の構成を示す図である。情報端末１０は、入出力機能としてタッチパネル部１１と、外部ネットワークと通信をおこなうデータ通信部１３と、時刻を取得するタイマー１５と、コンピュータ４０を有している。
【００５２】
コンピュータ４０は、制御部５０と記憶部７０を有している。
【００５３】
制御部５０は、タッチパネル部１１への入力が図３に示すいずれの操作であるか認識する操作認識部５１と、タッチパネルへの表示を制御する表示制御部５２と、データ通信部１３の制御を行う通信制御部５３と、領域別設定温度情報を使用者に設定させる画面を表示させる領域別設定温度設定部５４と、睡眠時刻情報を使用者に設定させる画面を表示させる睡眠時刻情報設定部５５と、領域別設定温度設定部５４と睡眠時刻情報設定部５５で設定された領域別設定温度情報と睡眠時刻情報をもとに空調機の温度設定を決定する空調制御情報決定部５７と、空調制御情報決定部５７で決定された情報をタッチパネル部１１に表示する空調制御情報表示部５８と、空調制御情報決定部で決定された情報に基づきネットワーク４（図５に示す）を介して空調機を制御する空調制御部５９を有する。
【００５４】
制御部５０は、プログラムによって動作するＣＰＵ（中央演算ユニット）によって実現される。
【００５５】
記憶部７０は、空調機の領域別設定温度７２、睡眠時刻情報７３、空調制御情報７４を有する。
【００５６】
また、記憶部７０は、情報を記憶することのできる媒体により構成される。記憶部７０は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）を用いて構成される。
【００５７】
なお、記憶部７０は、情報を記憶することのできる媒体であれば、ほかのものが用いられてもよい。例えば、ＳＤカード（登録商標）、ＳＳＤ（Ｓｏｌｉｄ  Ｓｔａｔｅ  Ｄｅｖｉｃｅ）といった半導体記憶素子、ハードディスク、フレキシブルディスクがある。
【００５８】
図５は、空調システム１の全体構成を示す。
【００５９】
室内を空調する空調システム１は、室内に設置される室内機２と、室外に設置される室外機６と、ネットワーク４と、ネットワーク４を介して室内機２を遠隔操作する情報端末１０と、室内機２と室外機６とを繋ぐ接続配管８とで構成される。ここで、室内機２と室外機６とを合わせて空調機と呼ぶ。
【００６０】
室外機６は、不図示の圧縮機、室外送風機、室外熱交換器などを有する。室外機６の圧縮機と室外熱交換器は、接続配管８が有する冷媒配管により、後述する室内機と接続され、冷媒が循環されることで熱ポンプとして機能する。
【００６１】
ネットワーク４は、室内機２と情報端末１０との間で情報のやり取りを中継する。ネットワーク４は、Ｅｔｈｅｒｎｅｔ（登録商標）、またはＷｉＦｉ（登録商標）が用いられて実現される。
【００６２】
なお、ネットワーク４は、室内機２と情報端末１０の間における情報のやり取りを中継できるものであれば、そのほかのものが用いられて実現されても構わない。例えば、Ｂｌｕｅｔｏｏｔｈ（登録商標）、ＺＩＧＢＥＥ（登録商標）等の特定小電力無線通信、電力線通信、赤外線通信、可視光通信、超音波通信がある。
【００６３】
図６は、情報端末１０の制御部５０の処理フローを示す。
【００６４】
まず、制御部５０は、タッチパネル部１１にメニュー画面を表示する（ステップＳ２１０）。
【００６５】
ステップＳ２１０で表示されるメニュー画面の例を、図２を参照しながら説明する。
【００６６】
制御部５０が有する表示制御部５２は、情報端末１０のタッチパネル部１１の主表示部１１３へ、使用者に提示するメニュー項目を表示する。表示制御部５２は、メニュー項目として温度パターン設定ボタン１２１、おやすみメニューのボタン１２２、終了ボタン１２３を表示する。
【００６７】
次に、制御部５０が有する操作認識部５１は、使用者の指によるタップ操作を認識すると、タップされた項目に応じて制御部５０の以後の処理を分岐させる（ステップＳ２２０）。
【００６８】
もし、温度パターン設定ボタン１２１がタップされた場合は、制御部５０の処理は、ステップＳ２３０へ進む。
【００６９】
もし、おやすみメニューのボタン１２２がタップされた場合は、制御部５０の処理は、ステップＳ２４０へ進む。
【００７０】
もし、終了ボタン１２３がタップされた場合は、制御部５０は、処理を終了する。
【００７１】
ステップＳ２３０に処理が進むと、制御部５０が有する領域別設定温度設定部５４は、使用者に領域別設定温度７２を設定させる処理を行う。その後、制御部５０の処理はステップＳ２１０へ戻る（ステップＳ２３０）。
【００７２】
図１５は、領域別に設定された温度である領域別設定温度７２の構成を示す図である。ここで各領域は、各時間帯に対応するものとする。すなわち領域別設定温度とは、ある時間帯における設定された温度を意味する。領域別設定温度７２は、第一温度設定領域の設定温度７２５と、第二温度設定領域の設定温度７２６を有する。
【００７３】
第一温度設定領域の設定温度７２５には、就寝時刻の設定温度と、境界時刻の設定温度が格納されている。
【００７４】
第二温度設定領域の設定温度７２６には、境界時刻の設定温度と、起床時刻の設定温度が格納されている。
【００７５】
なお、領域別設定温度７２における、設定温度の初期値は任意の値で構わない。
【００７６】
次に、使用者が領域別設定温度７２を設定する方法について説明する。
【００７７】
図７は、所定の時間７２１（図１５に示す）における温度７２２（図１５に示す）を設定するための画面である、領域別設定温度設定画面３００を示す図である。領域別設定温度設定部５４は、タッチパネル部１１の主表示部１１３に、グラフ領域３１０と決定ボタン３２０を表示させる。
【００７８】
グラフ領域３１０は、就寝時刻における設定温度を使用者に設定させる第１のスライドバー３０１と、境界時刻における設定温度を使用者に設定させる第２のスライドバー３０２と、起床時刻における設定温度を使用者に設定させる第３のスライドバー３０３と、縦軸の温度目盛り３０５を有する。ここで、境界時刻とは概日リズムに基づいて人間の体温が最低となる明け方の時刻のことであり、午前４時とする。
【００７９】
また、グラフ領域３１０は、第１スライドバー３０１と第２スライドバー３０２との間に位置する第１温度設定領域３１１と、第２スライドバー３０２と第３スライドバー３０３との間に位置する第２温度設定領域３１２を有する。
【００８０】
第１温度設定領域３１１は、就寝時刻から境界時刻までの時間帯に対応し、就寝時刻における設定温度と境界時刻における設定温度とを結ぶ第１の線３０７を表示する。
【００８１】
第２温度設定領域３１２は、境界時刻から起床時刻までの時間帯に対応し、境界時刻における設定温度と起床時刻における設定温度とを結ぶ第２の線３０８を表示する。
【００８２】
図８Ａ及び図８Ｂは、使用者が行う就寝時刻における設定温度を変更する操作を時系列順に示す図である。
【００８３】
就寝時刻における設定温度を変更するために、使用者は第１スライドバー３０１をタッチし、そのまま指を上下方向へスライドさせる。境界時刻における設定温度及び起床時刻における設定温度も同様の操作で変更される。
【００８４】
使用者が設定温度を変更した場合、領域別設定温度設定部５４は、変更された温度に従って第１の線３０７と第２の線３０８を再度描画する。温度変更は１度刻みで可能であり、使用者が指を上方向へスライドさせた場合は１度刻みで温度が上昇し、逆に使用者が指を下方向へスライドさせた場合は１度刻みで温度が下降する。
【００８５】
図８Ａは、就寝時刻における設定温度が２７度から２４度に変更される操作が行われていることを示している。
【００８６】
また、図８Ｂは、使用者が設定温度を変更したことに応じて、第１の線３０７が、就寝時刻の設定温度である２７度と、境界時刻の設定温度である２５度を結ぶ直線として、再描画されたことを示している。
【００８７】
また、図８Ｃ及び図８Ｄは、同様に使用者が境界時刻の設定温度を変更する操作を時系列順に示す図である。この図の例では、使用者が第２のスライドバー３０２を上方向へスライドすることで、境界時刻における設定温度が、２５度（図８Ｃ）から２８度（図８Ｄ）に変更される操作が行われたことを示している。
【００８８】
また、図８Ｄは、使用者が設定温度を変更したことに応じて、第１の線３０７が、就寝時刻における設定温度である２７度と、境界時刻における設定温度である２８度を結ぶ直線として、再描画されたことを示している。
【００８９】
また、同時に、図８Ｄは、使用者が設定温度を変更したことに応じて、第２の線３０８が、境界時刻における設定温度である２８度と起床時刻における設定温度である２６度を結ぶ直線として、再描画されたことを示している。
【００９０】
図６に戻って、ステップＳ２４０に処理が進むと、制御部５０が有する睡眠時刻情報設定部５５は、使用者に睡眠時刻情報７３を設定させるための画面を表示し、使用者に睡眠時刻情報を設定させる（ステップＳ２４０）。
【００９１】
図１６は、睡眠時刻情報７３の構成を示す図である。睡眠時刻情報７３は、設定時刻７３２、すなわち、就寝時刻７３６、境界時刻７３７、起床時刻７３８を格納している。
【００９２】
境界時刻７３７の初期値は、一般的な人間の概日リズムに基づき、体温が最低となる時間である午前４時である。
【００９３】
就寝時刻７３６の初期値は、境界時刻の前の任意の時刻でよい。例えば、２３時（午後１１時）でよい。
【００９４】
起床時刻７３８の初期値は、境界時刻の後の任意の時刻でよい。例えば、午前７時１５分でよい。
【００９５】
次に、使用者が睡眠時刻情報７３を設定する方法について説明する。
【００９６】
図９は、睡眠時刻情報設定部５５が、タッチパネル部１１に表示した、睡眠時刻情報を設定するための画面である睡眠時刻情報設定画面４００を示す。
【００９７】
睡眠時刻情報設定部５５は、タッチパネル部１１の主表示部１１３へ、起床時刻の時の部分を使用者に設定させるための第１スピナー４１１、起床時刻の分の部分を使用者に設定させるための第２スピナー４１２、使用者が設定した時刻を確定させるための決定ボタン４２０を表示する。
【００９８】
図１０Ａ〜図１０Ｃは、起床時刻の時（ＨＯＵＲＳ）の部分の値を変更するために使用者が行う操作を時系順に示す図であり、時間経過は図１０Ａ、図１０Ｂ、図１０Ｃの順である。
【００９９】
使用者は、起床時刻の時の部分の値を変更するために、第１スピナー４１１をタッチし、指を上下方向へスライドさせる。
【０１００】
使用者が上方向へ指をスライドさせた場合は１時間刻みで時の値が上昇する。逆に、使用者が下方向へ指をスライドさせた場合は１時間刻みで時の値が下降する。
【０１０１】
図１１Ａ〜図１１Ｄは、起床時刻の分（ＭＩＮＵＴＥＳ）の部分の値を変更するために使用者が行う操作を時系順に示す図であり、時間経過は図１１Ａ、図１１Ｂ、図１１Ｃ、図１１Ｄの順である。
【０１０２】
使用者は、起床時刻の分の部分の値を変更するために、第２スピナー４１２をタッチし、指を上下方向へスライドさせる。
【０１０３】
使用者が上方向へ指をスライドさせた場合は１分刻みで分の値が上昇する。逆に、使用者が下方向へ指をスライドさせた場合は１分みで分の値が下降する。
【０１０４】
使用者が時と分の値を設定した後は、使用者が決定ボタン４２０をタップする（図１１Ｄ）ことで、睡眠時刻情報設定部５５は起床時刻が確定したことを認識し、睡眠時刻情報７３へ、起床時刻を書き込む。
【０１０５】
また、この時、睡眠時刻情報設定部は、睡眠時刻情報７３へ、使用者が決定ボタン４２０を押した時点における時刻を就寝時刻として書き込む。
【０１０６】
なぜならば、就寝直前に目覚まし時計をセットする習慣のある人であれば、起床時刻が設定された時刻は、就寝時刻と同一であると考えられるためである。
【０１０７】
次に、図６に戻って、制御部５０が有する空調制御情報決定部５７は、空調制御情報を決定する（ステップＳ２５０）。
【０１０８】
空調制御情報決定部５７は、領域別設定温度７２と睡眠時刻情報７３に格納された情報を用いて、就寝時刻と境界時刻の間の時間帯である第１時間帯の設定温度ならびに、境界時刻と起床時刻の間の時間帯である第２時間帯の設定温度を算出して、空調制御情報７４を生成する。
【０１０９】
図１８は、空調制御情報７４の構成を示す図である。空調制御情報７４は、空調システム１を制御する時刻を示す設定時刻７４１、設定時刻７４１に対応した温度を示す設定温度７４２を格納している。
【０１１０】
空調制御情報７４は、第１時間帯の設定温度７４５と、第２時間帯の設定温度７４６に区切られる。
【０１１１】
図１７Ａは、空調制御情報決定部５７の処理のフローを示す。例として線形補間を用いて第１時間帯の設定温度及び第２時間帯の設定温度が決定される場合の処理のフローを説明する。
【０１１２】
まず、空調制御情報決定部５７は、空調制御情報７４を初期化する。すなわち、空調制御情報決定部５７は、空調制御情報７４に格納された情報をすべて消去する（ステップＳ３００）。
【０１１３】
次に、空調制御情報決定部５７は、第１時間帯における設定温度を決定するために、睡眠時刻情報７３に格納された就寝時刻と境界時刻と、領域別設定温度７２に格納された就寝時刻の設定温度と境界時刻の設定温度を引数に設定する（ステップＳ３０５）。空調制御情報決定部５７は、後述する線形補間のサブルーチンを呼び出す（ステップＳ３１０）。
【０１１４】
次に、空調制御情報決定部５７は、第２時間帯における設定温度を決定するために、睡眠時刻情報７３に格納された境界時刻と起床時刻と、領域別設定温度７２に格納された境界時刻の設定温度と起床時刻の設定温度を引数に設定し（ステップＳ３１５）、後述する線形補間のサブルーチンを呼び出す（ステップＳ３２０）。
【０１１５】
図１７Ｂは、線形補間のサブルーチンの処理のフローを説明する。
【０１１６】
空調制御情報決定部５７は、線形補間のサブルーチンにおいて第１時刻ｘ０（就寝時刻）、第２時刻ｘ１（境界時刻）、第１設定温度ｙ０（就寝時刻における設定温度）、及び第２設定温度ｙ１（境界時刻における設定温度）を引数にとる。
【０１１７】
まず、空調制御情報決定部５７は、線形補間のサブルーチンであるループ処理を行う。ループ変数ｙは、第１設定温度ｙ０と第２設定温度ｙ１の間の整数が用いられる（ステップＳ３５０）。
【０１１８】
次に、空調制御情報決定部５７は、（ループ変数ｙ−第１設定温度ｙ０）÷（第２設定温度ｙ１−第１設定温度ｙ０）×（第２時刻ｘ１−第１時刻ｘ０）の値を計算し、当該値に第１時刻ｘ０を加算した値ｘを算出する（ステップ３５５）。
【０１１９】
次に、空調制御情報決定部５７は、ステップＳ３５５で算出された値ｘを設定時刻７４１として、ループ変数ｙを設定温度７４２として空調制御情報７４に追加する（ステップＳ３６０）。
【０１２０】
そして、ループ処理を終了する（ステップＳ３７０）。
【０１２１】
線形補間のサブルーチンではＳ３５０からＳ３６０までの処理が繰り返し行われる。以上がステップＳ２５０の説明である。
【０１２２】
図６のステップＳ２６０以降の処理フローの説明に戻る。
【０１２３】
空調制御情報表示部５８は、タッチパネル部１１に空調制御情報表示画面を表示することで、空調制御情報７４を使用者へ提示する（ステップＳ２６０）。
【０１２４】
図１２は、空調制御情報表示部５８が表示する画面を示す。
【０１２５】
空調制御情報表示部５８は、タッチパネル部１１の主表示部１１３へ、グラフ領域６１０と、設定温度を示す温度目盛り６３０（縦軸）と、空調機を制御する時刻を示す時刻目盛り６４０（横軸）と、空調制御情報７４に対応した図６２１と了解ボタン６５０を表示する。
【０１２６】
空調制御情報表示部５８は、空調制御情報７４に対応した図６２１を、グラフ領域６１０に折れ線グラフの形で表示する。空調制御情報表示部５８は、空調制御情報７４の要素の数だけ、設定温度と時刻に対応する点をグラフ上にプロットし、直線で結ぶ。
【０１２７】
グラフ領域６１０は、就寝時刻における設定温度を使用者に設定させる第１のスライドバー６２６ａと、境界時刻における設定温度を使用者に設定させる第２のスライドバー６２６ｂと、起床時刻における設定温度を使用者に設定させる第３のスライドバー６２６ｃと、第１のスライドバー６２６ａの可動範囲を示す６２５ａと、第２のスライドバー６２６ｂの可動範囲を示す６２５ｂと、第３のスライドバー６２６ｃの可動範囲を示す６２５ｃを有する。
【０１２８】
また、使用者が空調制御情報７４の各時刻における設定温度を示す円形の描画要素をタッチした場合、タッチされた領域に対応する空調制御情報７４の各項目の情報が追加で表示されるとよい。すなわち、図１３に示されるように、使用者がタッチした領域に対応する時刻とその時刻における設定温度が追加で表示されてもよい。図１３の例では、使用者が２５度の設定温度を示す円形の描画要素をタッチすることで、当該描画要素に対応する時刻と、設定温度である２５度が吹き出し領域に文字として表示される様子が示されている。
【０１２９】
空調制御情報表示部５８が、タッチパネル部１１へ、時刻と設定温度を文字として表示することで、使用者は空調制御情報７４を詳細に知ることができる。そのため、使用者はより安心して睡眠することができる。
【０１３０】
次に、図６に戻って、空調制御部５９は、空調制御情報７４に書き込まれた設定時刻７４１と設定温度７４２に対応した制御信号を室内機２へ送信する（ステップＳ２７０）。
【０１３１】
室内機２は当該制御信号に従って、空調機（室内機２及び室外機６）を制御する。
【０１３２】
例として、図１８に記載された値に空調制御情報７４が設定された場合の、空調制御部５９が行う制御を時系列順に説明する。
【０１３３】
まず、空調制御部５９は、２３時００分に温度２４度で空調機を運転させるための制御信号を室内機２に送信する。
【０１３４】
次に、空調制御部５９は、０時１５分に温度２５度で空調機を運転させるための制御信号を室内機２に送信する。
【０１３５】
空調制御部５９は、以降の時刻についても同様の処理を行う。
【０１３６】
次に、制御部５０は、起床時刻に達したタイミングで、アラーム表示画面８００を表示する（ステップＳ２８０）。
【０１３７】
図１４は、制御部５０が表示するアラーム表示画面８００の例を示す。アラーム表示画面８００は、了解ボタン８１０を有する。
【０１３８】
なお、適宜、制御部５０は、スピーカ１８へ、音響を奏でる指示を行ってもよい。音響が奏でられることにより、音による刺激を使用者に与えることで使用者の目覚めを促進することができる。
【０１３９】
以上が、情報端末１０における一連の処理である。
【０１４０】
次に、実施の形態１で説明された空調システム１の温度設定操作が、特許文献１に記載された技術と比較されながら説明される。
【０１４１】
以降の説明においては、起床時刻が７時１５分に、就寝時刻が２３時に設定され、就寝時刻の設定温度が２４度に、境界時刻の設定温度が２８度に、起床時刻の設定温度が２６度に設定されるものとする。
【０１４２】
（特許文献１に記載された情報端末を用いた場合の使用者の操作）
まず、使用者は現在時刻と境界時刻の時間差を暗算する。
【０１４３】
暗算によって求められた時間差は、４：００−２３：００＝５時間であるので、使用者は図１に示された５Ｈのつまみ（第１ツマミ部材４４）を２８度の位置にスライドさせる。
【０１４４】
次に、使用者は起床時刻と現在時刻の時間差を暗算する。
【０１４５】
起床時刻は、７：１５−２３：００＝８時間１５分＝約８時間であるので、使用者は図１に示された８Ｈのつまみ（第１ツマミ部材４４）を２６度の位置にスライドさせる。
【０１４６】
次に、使用者は、就寝時刻、境界時刻、起床時刻の間の温度を１時間ごとに再設定する。ここで、現在時刻は就寝時刻とする。
【０１４７】
使用者は図１に示された１Ｈのつまみ（第１ツマミ部材４４）をスライドさせて就寝１時間後の温度を２４度に設定し、２Ｈのつまみ（第１ツマミ部材４４）をスライドさせて就寝２時間後の温度を２５度に設定し、３Ｈのつまみ（第１ツマミ部材４４）をスライドさせて就寝３時間後の温度を２６度に設定し、４Ｈのつまみ（第１ツマミ部材４４）をスライドさせて就寝４時間後の温度を２７度に設定し、６Ｈのつまみ（第１ツマミ部材４４）をスライドさせて就寝６時間後の温度を２７度に設定し、７Ｈのつまみ（第１ツマミ部材４４）をスライドさせて就寝７時間後の温度を２７度に設定する。
【０１４８】
以上のように、就寝時刻と境界時刻との差及び就寝時刻と起床時刻との差を暗算し、時間別につまみ（第１ツマミ部材４４）をスライドさせて温度設定必要があり、操作が煩雑である。
【０１４９】
（実施の形態１で説明された情報端末１０を用いた場合の使用者の操作）
まず使用者は図７に示す領域別設定温度設定画面３００において第１スライドバー３０１をスライドさせて、就寝時刻の温度を２４度に設定する。
【０１５０】
次に、使用者は第２スライドバー３０２をスライドさせて、境界時刻の温度を２８度に設定する。
【０１５１】
次に、使用者は第３スライドバー３０３をスライドさせて、起床時刻の温度を２８度に設定し、決定ボタンをタップする。
【０１５２】
次に、使用者は図９に示す睡眠時刻情報設定画面４００において、起床時刻を設定する。
【０１５３】
以上のように、実施の形態１における情報端末１０を用いた場合は、使用者は起床時刻と就寝時刻との時間差を暗算しなくてよい。また、図１に示された１Ｈから８Ｈまでのつまみをわざわざスライドさせる必要もない。
【０１５４】
実施の形態１にかかる情報端末を用いると、翌晩に就寝時刻が変更された場合においても概日リズムを考慮した温度設定が容易である。
【０１５５】
なお、境界時刻は、概日リズムで体温が最も低い値を取る午前４時としたが、厳密に午前４時ちょうどである必要はない。空調機の時刻設定の粒度や、情報端末１０の電池もちを考慮して、多少の誤差があってもよい。例えば、３０分程度の誤差があってもよい。
【０１５６】
また、領域別設定温度設定部５４が表示する図７に示す領域別設定温度設定画面３００において、設定温度を設定させるユーザインターフェースとしてスライドバーが用いられたが、就寝時刻における温度、境界時刻における温度、及び起床時刻における温度を設定できるものであれば、ほかの手段が用いられても構わない。
【０１５７】
図２８Ａ〜図２８Ｄは、領域別設定温度設定部５４が表示する設定画面の別の例を示す。この例では、数値を直接記入するための領域が設けられている。
【０１５８】
使用者は就寝時刻における温度を変更する場合は、就寝時刻の温度を示す領域２８１をタップしたのちに、設定画面上に表示されるソフトキーボード２８２上の数値をタップすることで、温度を所望の値に設定することができる。
【０１５９】
なお、実施の形態１では、１台の情報端末１０が制御部５０と記憶部７０を有している場合が説明されたが、複数の情報端末が制御部５０と記憶部７０をそれぞれ有していてもよい。もしくは、制御部５０が複数の端末に分散されていてもよい。
【０１６０】
（実施の形態２）
図１９は、実施の形態２における空調システム１ｂの全体構成の一例を示す。図１９において図５と同じ構成要素については同じ符号が用いられ、説明は省略される。
【０１６１】
図１９に示される空調システム１ｂは、情報端末１０に替えて、第２の情報端末１０ｂと、第３の情報端末１０ｃとを有する。
【０１６２】
ネットワーク４は、室内機２と第２の情報端末１０ｂと第３の情報端末１０ｃとの間で情報のやり取りを中継する。
【０１６３】
図２０は、第２の情報端末１０ｂおよび第３の情報端末１０ｃの構成を示す。図２０において図４と同じ構成要素については同じ符号が用いられ、説明が省略される。
【０１６４】
第２の情報端末１０ｂは、タッチパネル部１１と、第２のデータ通信部１３ｂと、第２の制御部５０ｂを備える第２のコンピュータ４０ｂとを有する。
【０１６５】
第２の制御部５０ｂは、操作認識部５１と、表示制御部５２とを有する。
【０１６６】
第３の情報端末１０ｃは、タイマー１５と、第３のデータ通信部１３ｃと、第３のコンピュータ４０ｃを有する。第３のコンピュータ４０ｃは、第３の制御部５０ｃと、記憶部７０とを有する。
【０１６７】
第３の制御部５０ｃは、通信制御部５３と、領域別設定温度７２を使用者に設定させる領域別設定温度設定部５４と、睡眠時刻情報７３を使用者に設定させる睡眠時刻情報設定部５５と、領域別設定温度設定部５４と睡眠時刻情報設定部５５で使用者に設定させた情報をもとに空調制御情報７４を決定する空調制御情報決定部５７と、空調制御情報決定部５７で決定された情報をタッチパネル部１１に表示する空調制御情報表示部５８と、空調制御情報決定部５７で決定された情報に基づき室内機２に制御コマンドを送信する空調制御部５９を有する。
【０１６８】
第２のデータ通信部１３ｂは、第３のデータ通信部１３ｃと通信を行い、操作認識部５１が認識した使用者によるタッチパネル部の操作を第３の制御部５０ｃへ送信し、タッチパネル部１１に表示される画面の情報を第３の制御部５０ｃから受信する。
【０１６９】
実施の形態２における空調システム１ｂでは、第２の情報端末１０ｂが有する第２のデータ通信部１３ｂと、第３の情報端末１０ｃが有する第３のデータ通信部１３ｃを介して、第２の制御部５０ｂと第３の制御部５０ｃが、使用者からの入力や使用者へ表示する情報を通信することで、実施の形態１における情報端末１０と同様の処理を行う。
【０１７０】
第２の情報端末１０ｂは、タッチパネル部１１と、表示制御部５２を有することで、使用者と第３の情報端末１０ｃとのインタフェースの処理を主に担当する。また、第２の情報端末１０ｂは、実施の形態１における情報端末１０が有する記憶部７０が必要ない。そのため、第２の情報端末１０ｂは、簡易な構成で実現できる。
【０１７１】
また、第３の情報端末１０ｃは、体積の大きいタッチパネル部１１を有する必要がないので、主にＣＰＵと記憶媒体だけで実現することができ、物理的な大きさを小さくできる。
【０１７２】
なお、第３の情報端末１０ｃはネットワーク４を介して室内機２と通信できる限り、どこに設置されてもよい。第３の情報端末１０ｃは使用者に携帯される必要がないため、常時電源コンセントに接続しておくことができる。そのため、不慮の電池切れによって空調制御部５９が動作しないといった不測の事態が回避される。
【０１７３】
また、第３の情報端末１０ｃは、使用者の家の外に置かれていても構わない。第３の情報端末１０ｃが使用者の家の外に置かれることにより、使用者は家のスペースを広く使うことができる。
【０１７４】
（実施の形態３）
図２１Ａ〜図２１Ｃは、空調機の設定温度を変更するために使用者が行う操作を時系列順に示す図である。図２１Ａ〜図２１Ｃにおいて図７および図８Ａ〜図８Ｄと同じ構成要素については同じ符号が用いられ、説明は省略される。
【０１７５】
実施の形態１では、第１の線３０７および第２の線３０８は線分により補間されたが、実施の形態３では、変曲点が設けられ、曲線によって補間される。このことにより、より柔軟な空調機の温度設定が可能となる。
【０１７６】
使用者が第１の線３０７にタッチし、上下方向にスライドさせることで、第１の線３０７の形状を上に凸もしくは下に凸にすることができる。
【０１７７】
図２１Ｂは、使用者が指を上方向にスライドさせた場合の操作を示す。使用者が指を上方向へスライドさせた場合は第１の線３０７は上に凸な形状に変化する。
【０１７８】
逆に、図２１Ｃは、使用者が指を下方向へスライドさせた場合の操作を示す。使用者が指を下方向へスライドさせた場合は第１の線３０７が下に凸な形状に変化する。
【０１７９】
第２の線３０８についても第１の線３０７と同様であり、使用者が第２の線３０８にタッチし、上下方向にスライドさせることで、第２の線３０８の形状を上に凸もしくは下に凸にすることができる。
【０１８０】
第１の線３０７もしくは第２の線３０８が単調増加でかつ上に凸な曲線として設定された場合や、単調減少でかつ線の形状が下に凸な曲線として設定された場合は、温度ははじめ急に変化し、のちに緩やかに変化するようになる。
【０１８１】
例えば、部屋の温度と希望の温度との差が大きく、使用者がすぐに部屋を冷やしたい場合などは、第１の線３０７をこのような形状の曲線に設定すればよい。
【０１８２】
逆に、第１の線３０７もしくは第２の線３０８が単調増加でかつ下に凸な曲線として設定された場合や、単調減少でかつ線の形状が上に凸な曲線として設定された場合は、温度ははじめ緩やかに変化し、のちに急に変化するようになる。
【０１８３】
例えば、使用者が就寝直後の急激な温度変化を嫌う場合は、第１の線３０７をこのような形状の曲線に設定すればよい。
【０１８４】
実施の形態３においては、就寝時刻と境界時刻の間の時間帯と境界時刻と起床時刻の間の時間帯における設定温度が変曲点を有する曲線によって補間されるケースが説明された。これにより、個人によって異なる好みの違いに細やかに対応した空調の温度設定が可能となる。
【０１８５】
（実施の形態４）
図２２は、実施の形態４における情報端末１０の制御部５０の処理のフローを説明する。図２２において図６と同じステップについては、図６と同じ符号が用いられ説明が省略される。
【０１８６】
情報端末１０が有する制御部５０は、ステップＳ２１０でメニュー画面を表示した後に、ステップＳ２１５で、照度センサ２０（図２で図示）を用いて周囲の照度の変化をセンシングして、部屋が消灯されたか否か判定を行う。なお、照度センサ２０は情報端末１０が有するものとする。
【０１８７】
ステップＳ２１５での判定結果がＹＥＳ（消灯された）の場合は、ステップＳ２４０の睡眠時刻設定ステップへ進み、消灯された時間が就寝時刻として設定される。
【０１８８】
ステップＳ２１５での判定結果がＮＯ（消灯されていない）の場合は、ステップ２１８へ進む。
【０１８９】
ステップＳ２１８では、制御部５０は、タッチパネル部１１に使用者が触れたか否か判定を行う。ステップＳ２１８の判定結果がＹＥＳ（使用者がタッチパネル部１１に触れた）の場合は、制御部５０はステップＳ２２０へ進む。ステップＳ２１８での判定結果がＮＯ（使用者がタッチパネル部１１に触れていない）の場合は、制御部５０はステップＳ２１５へ戻る。
【０１９０】
このように、情報端末１０は、ステップＳ２１５で使用者が部屋を消灯したことが自動的に検知されると、睡眠時刻設定処理（ステップＳ２４０）へ遷移する。
【０１９１】
情報端末１０が睡眠時刻設定処理へ自動的に遷移することで、使用者がメニューを指で明示的に操作することなしに、起床時刻の設定を行うことが可能となる。
【０１９２】
実施の形態４における情報端末１０は、使用者の操作の手間を軽減させることができる。従って、使用者の温度設定し忘れを防止することもできる。
【０１９３】
なお、メニュー画面において別途メニュー項目を設けて、照度センサ２０による自動的な制御、消灯検知後から起床時刻の設定までの自動遷移を有効にするか否かを使用者が選択可能なようにしておくとよい。これにより、このような自動制御を好む使用者と、そうでない使用者の両者に対して適した空調制御を提供することができる。
【０１９４】
（実施の形態５）
図２３は、本発明の実施の形態５にかかる、情報端末１０において、睡眠時刻情報７３が格納する就寝時刻を、使用者があらかじめ設定するための操作画面を示す。
【０１９５】
使用者は、実施の形態１における睡眠時刻情報７３を設定する操作と同様の操作をおこなう。
【０１９６】
使用者は第１スピナー４１１ｄおよび第２スピナー４１２ｄをスライドさせることで、就寝時刻を設定することができる。また、使用者が、決定ボタン４２０ｄをタップすることで、設定した就寝時刻を確定することができる。
【０１９７】
就寝時刻を予め指定し、就寝時刻よりも前の時点（例えば就寝時刻１０分前）で空調機が運転開始するようにしておけば、例えば夏の暑い夜に、使用者が睡眠をとる部屋が十分に冷えていない場合に有効である。
【０１９８】
（実施の形態６）
実施の形態６における情報端末１０が有する制御部５０の処理のフローを説明する。
【０１９９】
まず、制御部５０は、タッチパネル部１１に外出時刻入力画面を表示し、使用者に日々の外出時刻を入力させる。ここで外出時刻とは、使用者が起床してから初めて外出する時刻とする。
【０２００】
図２４は、制御部５０が表示する外出時刻入力画面の一例を示す。
【０２０１】
外出時刻入力画面４００ｅは、外出時刻の時の値を設定するための第１スピナー４１１ｅと、外出時刻の分の値を設定するための第２スピナー４１２ｅと、決定ボタン４２０ｅとを有する。
【０２０２】
使用者は、実施の形態１において睡眠時刻情報７３を設定する操作と同様の操作で、使用者は第１スピナー４１１ｅおよび第２スピナー４１２ｅをスライドさせ、外出時刻を設定することができる。また、使用者が、決定ボタン４２０ｅをタップすることで、設定した外出時刻を確定することができる。
【０２０３】
次に、制御部５０は、外出時刻を用いて、境界時刻を計算する。
【０２０４】
制御部５０は、使用者に入力された外出時刻から、約３時間を差し引いた値を、睡眠時刻情報７３に境界時刻として書き込む。これにより、概日リズムが日光を浴びることでリセットされるという人間の生理的な特性を考慮し、使用者が朝に日光を浴びる時間帯である外出時刻から使用者の体温が最低となる境界時刻を自動的に情報端末１０に概算させることができる。
【０２０５】
ここで、夜勤や早朝勤務など、生活リズムが一般とは異なる人は、一日で初めて日光を浴びる時刻も一般の人と比べてずれる。したがって概日リズムもずれることが知られている。
【０２０６】
ここで、境界時刻と外出時刻との差分を約３時間とした理由を説明する。一般的に平日に学生が通学のために外出する時刻や、サラリーマンが通勤のために外出する時刻は、学校や会社が始業する午前８時から午前９時台から、通勤時間の約１時間を差し引いた、午前７時の１時間前後である。概日リズムに基づいて体温が低下する時刻は午前４時前後であるため、両者の差分をとって３時間前後とした。
【０２０７】
なお、たとえばサマータイムを導入している地域や、学校や会社の始業時刻が一般的な時刻から前後する地域については、当該差し引く値のマージンを１時間程度とってもよい。
【０２０８】
実施の形態６における情報端末１０は、夜勤や早朝勤務など、生活の時間帯が一般的な人とは異なる使用者、すなわち概日リズムが一般的な人とは異なるような使用者に、概日リズムに適した空調を提供する。
【０２０９】
これにより、実施の形態６における情報端末１０は、使用者が概日リズムによる体温変動に精通していない場合に有効である。
【０２１０】
（実施の形態７）
本発明の実施の形態７における情報端末１０は、実施の形態６における情報端末１０が、タッチパネル部１１を使用者に明示的に操作させることで取得していた外出時刻を、情報端末１０に備わった各種センサを用いて推定する。
【０２１１】
情報端末１０は、情報端末１０に備わった各種センサを用いて、使用者が外出したことを自動的に検知する。情報端末１０は、当該検知が行われた時の時刻を外出時刻として用いて、境界時刻を計算する。
【０２１２】
使用者が外出したことを検知する方法の一例として、ＧＰＳセンサによって得られる位置情報が、すなわち位置情報で示す位置が、使用者の家の位置情報から所定の距離以上離れたことを検知する方法がある。
【０２１３】
なお、使用者が外出したことを検知するためのセンサとして、加速度センサが用いられてもよい。この場合は、加速度センサが、午前中に所定の閾値を上回る距離を移動したことを検知した時刻が、外出時刻に用いられる。
【０２１４】
また、照度センサが、照度が所定の閾値を上回ったことを検知した時刻が、外出時刻として用いられてもよい。
【０２１５】
また、前述したＧＰＳセンサ、加速度センサ、照度センサに限らず、センサを用いて外出時刻を取得することができる方法であれば、そのほかの方法が用いられてもよい。
【０２１６】
なお、各種センサは情報端末１０が有してもよいし、情報端末１０の外に別途設けられてもよい。各種センサが情報端末１０の外部に設けられている場合は、情報端末１０がデータ通信部１３を介して、各種センサからセンシングされた情報を取得すればよい。
【０２１７】
（実施の形態８）
実施の形態８における情報端末１０は、使用者の睡眠中における体温を測定し、使用者の体温が最低となる時刻を睡眠時刻情報７３に備わった境界時刻情報へ書き込むものである。
【０２１８】
体温を測定する方法は、情報端末１０が、遠隔地点の温度を測定可能な温度計を備えておき、使用者の睡眠中に使用者の体温を測定する方法がある。ここで温度計は使用者の方向に向けられておくとよい。遠隔地点の温度を測定可能な温度計として、赤外線放射温度計がよく知られている。
【０２１９】
また、情報端末１０の外部に、使用者に密着して使用者の体温を測定する温度測定端末が別途設けられてもよい。この場合は、情報端末１０は、温度測定端末から使用者の体温の時系列的な変動を、ネットワーク４を介して取得してもよい。
【０２２０】
（実施の形態９）
図２５Ａ〜図２５Ｄは、実施の形態９における情報端末１０において、設定温度を変更するために使用者が行う操作を時系列順に示す。図２５Ａ〜図２５Ｄにおいて図７、図８Ａ〜Ｄおよび図２１Ａ〜図２１Ｃと同じ構成要素については同じ符号が用いられ、説明が省略される。
【０２２１】
実施の形態３では、単一の変曲点を有する曲線を用いて第一温度設定領域の温度と第二温度設定領域の温度が設定されていたが、実施の形態９では、当該曲線に複数の変曲点が設けられた。
【０２２２】
図２５Ｂは、使用者が第１の線３０７にタップすることで、第１の線３０７にタップされた場所に応じた変曲点３１３が設けられる様子を示す。
【０２２３】
この時、第１の線３０７は、就寝時刻による設定温度に対応する点と、境界時刻における設定温度に対応する点とを結び、タップされた変曲点を通る曲線に変化する。
【０２２４】
図２５Ｃは、使用者が第１の線３０７にタップすることで、第１の線３０７に第二の変曲点３１４が設けられる様子を示す。
【０２２５】
この時、第１の線３０７は、就寝時刻による設定温度に対応する点と、境界時刻における設定温度に対応する点とを結び、前記変曲点と、第二の変曲点を通る曲線に変化する。
【０２２６】
図２５Ｄは、使用者が、一度設定された第二の変曲点３１４を再びタップすることで、第二の変曲点３１４が取り消されることを示す図である。
【０２２７】
第２の線３０８についても第１の線３０７と同様に操作し、第２の線３０８に変曲点を追加もしくは削除することができる。
【０２２８】
なお、変曲点の数は１つまたは２つに限らない。
【０２２９】
実施の形態９における情報端末１０は、設定画面において曲線に複数の変曲点を設けることが可能である。これにより、空調の温度設定がよりきめ細かくされるため、情報端末１０はより快適な室内環境を提供することができる。
【０２３０】
（実施の形態１０）
図２６Ａ〜図２６Ｄは、実施の形態１０における情報端末１０において、設定温度を変更するために使用者が行う操作を時系列順に示す。図２６Ａ〜図２６Ｄにおいて図７および図８Ａ〜図８Ｄと同じ構成要素については同じ符号が用いられ、説明が省略される。
【０２３１】
実施の形態１では、第１温度設定領域３１１における設定温度を、第１の線３０７を用いて補間したが、実施の形態１０では使用者が明示的に点を指定することで第１温度設定領域３１１の特定の相対的な経過時間における設定温度を設定することができる。
【０２３２】
図２６Ａは、領域別設定温度設定部５４が表示した画面の一例を示す。
【０２３３】
図２６Ｂは、使用者が第１温度設定領域３１１上の所定の点をタップすることで、第１温度設定領域３１１にタップされた場所に応じた設定温度を示す点３１６が設けられる様子を示す。
【０２３４】
図２６Ｃは、使用者が第１温度設定領域３１１上の異なる点にタップすることで、第１温度設定領域３１１にタップされた場所に設定温度を示す第二の点３１７が設けられる様子を示す。
【０２３５】
図２６Ｄは、使用者が、一度設定した第二の点３１７を再度タップすることで、第二の点３１７が取り消される様子を示す。
【０２３６】
図２６Ｃで、使用者が決定ボタンをタップすると設定温度が確定し、領域別設定温度７２が有する第１温度設定領域の設定温度７２５に設定温度が書き込まれる。
【０２３７】
図２７Ａは、領域別設定温度設定部５４が表示する設定画面を、使用者が操作することで設定された第一温度設定領域の設定温度７２５の一例を示す。使用者が、タップ操作により、第１温度設定領域３１１に、設定温度を示す点を２個設定した場合の値を示す。第一温度設定領域の設定温度７２５は、所定の時間７２１と所定の時間７２１に対応する温度７２２を有する。
【０２３８】
図２７Ｂは、第一温度設定領域の設定温度７２５を用いて、空調制御情報決定部５７が決定した、第一時間帯の設定温度７４５の例を示す。就寝時刻が２３時、境界時刻が４時の場合を例にとる。ここで、第１温度設定領域は第１時間帯に対応する。
【０２３９】
空調制御情報決定部５７は、就寝時刻の２３時から、境界時刻である午前４時の間に、第１温度設定領域の設定温度７２５のそれぞれの値が、第一時間帯の設定温度７４５へ書き込まれる。
【０２４０】
空調制御情報決定部５７は、２３時から午前４時の間を、１時間４０分間隔の等間隔に区切り、それぞれの時刻に対応する設定温度を順番に書き込む。
【０２４１】
第２温度設定領域３１２についても、第１温度設定領域３１１における温度設定の操作と同様である。使用者が第２温度設定領域３１２上の所定の点をタップすることで、設定温度を示す点を追加もしくは削除することができる。
【０２４２】
なお、タップによって設けられる設定温度を示す点の数は、１つまたは２つに限らない。
【０２４３】
実施の形態１０における情報端末１０の設定画面では、当該曲線に設定温度を示す１個以上の点を設けることができる。これにより、温度設定をよりきめ細かくすることができるため、情報端末１０は使用者へより快適な空調制御を提供することができる。
【産業上の利用可能性】
【０２４４】
本開示によれば、ネットワークを介して空調機を制御する情報端末の制御方法として有用である。
【符号の説明】
【０２４５】
１、１ｂ    空調システム
２    室内機
４    ネットワーク
６    室外機
８    接続配管
１０    情報端末
１０ｂ    第２の情報端末
１０ｃ    第３の情報端末
１１    タッチパネル部
１３    データ通信部
１３ｂ    第２のデータ通信部
１３ｃ    第３のデータ通信部
１５    タイマー
１６    ホームボタン
１７    カメラ
１８    スピーカ
１９    マイク
２０    照度センサ
４０    コンピュータ
４０ｂ    第２のコンピュータ
４０ｃ    第３のコンピュータ
４１    情報端末
４４    第１ツマミ部材  ４５    第１時間帯目盛
４６    第１温度目盛
１１１    ステータスバー
１１２    ナビゲーションバー
２８２    ソフトキーボード
３００    設定領域別設定温度設定画面
３０１    第１のスライドバー
３０２    第２のスライドバー
３０３    第３のスライドバー
３０５    温度目盛り
３０７    第１の線
３０８    第２の線
３１０    グラフ領域
３２０    決定ボタン
４００    睡眠時刻情報設定画面
４１１、４１１ｄ、４１１ｅ    第１スピナー
４１２、４１２ｄ、４１２ｅ    第２スピナー
４２０、４２０ｄ、４２０ｅ    決定ボタン
６１０    グラフ領域
６３０    温度目盛り
６４０    時刻目盛り
８００    アラーム表示画面
【図１】
2015108500.tif 000003
【図２】
2015108500.tif 000004
【図３】
2015108500.tif 000005
【図４】
2015108500.tif 000006
【図５】
2015108500.tif 000007
【図６】
2015108500.tif 000008
【図７】
2015108500.tif 000009
【図８Ａ】
2015108500.tif 000010
【図８Ｂ】
2015108500.tif 000011
【図８Ｃ】
2015108500.tif 000012
【図８Ｄ】
2015108500.tif 000013
【図９】
2015108500.tif 000014
【図１０Ａ】
2015108500.tif 000015
【図１０Ｂ】
2015108500.tif 000016
【図１０Ｃ】
2015108500.tif 000017
【図１１Ａ】
2015108500.tif 000018
【図１１Ｂ】
2015108500.tif 000019
【図１１Ｃ】
2015108500.tif 000020
【図１１Ｄ】
2015108500.tif 000021
【図１２】
2015108500.tif 000022
【図１３】
2015108500.tif 000023
【図１４】
2015108500.tif 000024
【図１５】
2015108500.tif 000025
【図１６】
2015108500.tif 000026
【図１７Ａ】
2015108500.tif 000027
【図１７Ｂ】
2015108500.tif 000028
【図１８】
2015108500.tif 000029
【図１９】
2015108500.tif 000030
【図２０】
2015108500.tif 000031
【図２１Ａ】
2015108500.tif 000032
【図２１Ｂ】
2015108500.tif 000033
【図２１Ｃ】
2015108500.tif 000034
【図２２】
2015108500.tif 000035
【図２３】
2015108500.tif 000036
【図２４】
2015108500.tif 000037
【図２５Ａ】
2015108500.tif 000038
【図２５Ｂ】
2015108500.tif 000039
【図２５Ｃ】
2015108500.tif 000040
【図２５Ｄ】
2015108500.tif 000041
【図２６Ａ】
2015108500.tif 000042
【図２６Ｂ】
2015108500.tif 000043
【図２６Ｃ】
2015108500.tif 000044
【図２６Ｄ】
2015108500.tif 000045
【図２７Ａ】
2015108500.tif 000046
【図２７Ｂ】
2015108500.tif 000047
【図２８Ａ】
2015108500.tif 000048
【図２８Ｂ】
2015108500.tif 000049
【図２８Ｃ】
2015108500.tif 000050
【図２８Ｄ】
2015108500.tif 000051